(57)【要約】【課題】確認映像（ＰＩX）出力をモニタに接続してキャラクタを表示させなくても撮像装置の設定状態を確認する。【課題を解決するための手段】制御部と撮像部と概制御部と概撮像部とを接続する光複合ケーブルとを備え、撮像部から制御部に送られた光の受信レベルと制御部から撮像部に送られた光の受信レベルを制御部の前面パネルにあるＬＥＤにて表示する撮像装置において、前記前面パネルにあるＬＥＤにシステムの設定状態を表示させる機能を有することを特徴とする撮像装置の制御部。【選択図】図１
2011101182.tif 000002
【特許請求の範囲】
【請求項１】
制御部と撮像部と概制御部と概撮像部とを接続する光複合ケーブルとを備え、撮像部から制御部に送られた光の受信レベルと制御部から撮像部に送られた光の受信レベルを制御部の前面パネルにあるＬＥＤにて表示する撮像装置において、前記前面パネルにあるＬＥＤにシステムの設定状態を表示させる機能を有することを特徴とする撮像装置の制御部。
【発明の詳細な説明】
【技術分野】
【０００１】
本発明は、撮像装置に用いる制御部に関するものである。
【背景技術】
【０００２】
従来、テレビジョンカメラシステムでは撮像部（カメラヘッド、カメラ）と接続された制御部（カメラコントロールユニットCamera Control Unit:CCU）との間で本線映像信号，送り返し映像信号，音声信号，コントロール用シリアルデータ信号，及び電源の送受信の時分割双方向伝送を３重同軸（トライアックス）ケーブル１本の伝送路で行う方法をデジタルトライアックスシステムと称する（特許文献１）。
【０００３】
有効走査線７２０本と有効走査線１０８０本のハイビジョン（ＨＤＴＶ）では、本線映像信号，送り返し映像信号，音声信号，コントロール用シリアルデータ信号の送受信伝送と電源供給送を光複合ケーブルで用いる方が一般である。
また、一般にカメラコントロールユニットをリモートコントロールユニット（ＲＣＵ）やセットアップコントロールユニット（ＳＣＵ）で制御している。
【０００４】
本発明の一実施例と従来技術に共通な制御部と撮像部とを含む撮像装置の全体構成を示すブロック図の図１で従来技術の撮像装置を説明する。
カメラ１０１とカメラコントロールユニット１０３を光複合ケーブル１０２で接続したテレビジョンカメラシステムでは、カメラコントロールユニット１０３の確認映像（ＰＩＸ）出力を確認映像（ＰＩＸ）モニタ（モニタ）１０４に接続してキャラクタ表示させることにより、システムの設定状態を確認し、リモートコントロールユニット１０５により、システムの設定（ＨＤＴＶ／ＮＴＳＣ／ＰＡＬ等）の変更を行なっている。
【０００５】
本発明の一実施例と従来技術に共通な光受信レベルＬＥＤ表示の概要を図２に示す。受光したモジュールは図２のグラフのように受光パワーをリニアに電圧変換し、その電圧を監視して減衰量が大きくなるにしたがって緑ＬＥＤ１→緑ＬＥＤ２→黄ＬＥＤ→赤ＬＥＤへと何れかのＬＥＤが点灯し、光伝送の状態を表示する。
【先行技術文献】
【特許文献】
【０００６】
【特許文献１】特開平７−２０３３９９号公報
【発明の概要】
【発明が解決しようとする課題】
【０００７】
従来の方式ではシステム設定状態の確認・変更を行なう際は、ＰＩＸ出力を表示するためのモニタが必要であった。
モニタ等の外部機器を接続せずにシステム設定状態を確認・変更できる構成とする事が本発明の目的である。
【課題を解決するための手段】
【０００８】
本発明は、制御部と撮像部と概制御部と概撮像部とを接続する光複合ケーブルとを備え、撮像部から制御部に送られた光の受信レベルと制御部から撮像部に送られた光の受信レベルを制御部の前面パネルにあるＬＥＤにて表示する撮像装置において、前記前面パネルにあるＬＥＤにシステムの設定状態を表示させる機能を有することを特徴とする撮像装置の制御部である。
【０００９】
つまり本発明は、上記課題を解決するため、カメラコントロールユニットの前面パネルにある光受信レベル表示用ＬＥＤを使用して、システムの設定状態を表示させる。また、設定状態の表示切替や設定の変更も前面パネルにあるスイッチを使用して切替える。
また、ＬＥＤ表示のパターン確認については前面パネルの裏側にＬＥＤのパターンを表にし、貼り付けて設定状態の確認が容易にできるようにする。
【発明の効果】
【００１０】
本発明によれば、カメラコントロールユニットの近くにモニタ及びリモートコントロールが無い環境でも、システムの設定状態を確認・変更が可能となる。
【図面の簡単な説明】
【００１１】
【図１】本発明の一実施例と従来技術に共通な制御部と撮像部とを含む撮像装置の全体構成を示すブロック図
【図２】本発明の一実施例と従来技術に共通な光受信レベルＬＥＤ表示の模式図
【図３】本発明の一実施例のシステム状態確認方法の概要の模式図
【図４】本発明の一実施例のシステム状態ＬＥＤ表示パターンの概要の模式図
【図５】本発明の一実施例の設定状態ＬＥＤ表示のフローチャート
【発明を実施するための形態】
【実施例１】
【００１２】
本発明による撮像装置の一実施例の動作の概要を本発明の一実施例の制御部と撮像部とを含む撮像装置の示すブロック図の図１を用いて撮像装置を説明する。その後に本発明の一実施例のシステム状態確認方法の概要の模式図の図３と本発明の一実施例のシステム状態ＬＥＤ表示パターンの概要の模式図の図４と本発明の一実施例の設定状態ＬＥＤ表示のフローチャートの図５とを用いて本発明の一実施例を説明する。図５のフローチャートは従来技術と本発明に共通な光受信レベルＬＥＤ表示も含む。
【００１３】
本発明の一実施例の制御部と撮像部とを含む撮像装置の示すブロック図の図１において、カメラ１０１とカメラコントロールユニット（ＣＣＵ）１０３を光複合ケーブル１０２で接続したテレビジョンカメラシステムでは、カメラコントロールユニット１０３の確認映像（ＰＩＸ）出力をモニタ１０４に接続してキャラクタ表示させることにより、システムの設定状態を確認し、リモートコントロールユニット（ＲＣＵ）１０５により、システムの設定（ＨＤＴＶ／ＮＴＳＣ／ＰＡＬ等）の変更を行なっている。
【００１４】
図３のカメラコントロールユニット前面パネル１０６において撮像装置の設定状態の確認及び設定変更をするために、まずＣＡＬＬスイッチ１１０を押しながらＣＡＭ  ＰＯＷＥＲスイッチ１０９を押して撮像装置の設定確認のモードにする。
撮像装置の設定確認のモードに入ったことは通常点灯している光受信レベル用ＬＥＤが点滅状態になっていることで確認する。
カメラ側光受信レベル用ＬＥＤ１０７にはカメラの設定確認の項目パターンを表示し、カメラコントロールユニット側光受信レベル用ＬＥＤ１０８にはカメラコントロールユニットの設定確認の項目における設定パターンを表示する。
【００１５】
本発明の一実施例のシステム状態ＬＥＤ表示パターンの概要の模式図の図４の撮像装置の設定状態の項目パターンの例として映像フォーマットを挙げると、設定パターンとしてはＨＤＴＶの１０８０／６０i，１０８０／５０i，７２０／６０p，７２０／５０pやＮＴＳＣ／ＰＡＬの１６：９／４：３等の設定パターンが表示され、変更することが可能となる。
撮像装置の設定確認の項目及び設定の切替方法はＣＡＬＬスイッチ１１０を押すことにより項目パターン１→１５へ移動し、ＣＡＭ  ＰＯＷＥＲスイッチ１０９を押すことにより設定パターン１→１５へ移動して設定の変更をすることができる。
通常の光受信レベル表示の動作状態に戻すには、撮像装置の設定確認のモードにする時と同様にＣＡＬＬスイッチ１１０を押しながらＣＡＭ  ＰＯＷＥＲスイッチ１０９を押すことにより光受信レベル表示となる。
【００１６】
つまり本発明は、上記課題を解決するため、カメラコントロールユニットの前面パネルにある光受信レベル表示用ＬＥＤを使用して、システムの設定状態を表示させる。また、設定状態の表示切替や設定の変更も前面パネルにあるスイッチを使用して切替える。
また、ＬＥＤ表示のパターン確認については前面パネルの裏側にＬＥＤのパターンを表にし、貼り付けて設定状態の確認が容易にできるようにする。
【００１７】
本発明の一実施例の設定状態ＬＥＤ表示のフローチャートの図５において、左半分は、従来技術と本発明に共通な光受信レベルＬＥＤ表示であり、右半分は、本発明の一実施例の設定状態ＬＥＤ表示である。
２１のＳＴＡＲＴから２２の電源ＯＮ，２３のＣＡＬＬスイッチを押しながらＣＡＭ  ＰＯＷＥＲを同時に押しシステム設定表示起動？の判定を行いｙｅｓなら２６の設定表示パターン１をカメラ側光受信レベルＬＥＤとＣＣＵ側光受信レベルＬＥＤに点滅表示を行い、ｎｏなら３６の受光レベル−１３ｄＢｍ以上？に行く。
２６の設定表示パターン１をカメラ側光受信レベルＬＥＤとＣＣＵ側光受信レベルＬＥＤに点滅表示を行った後、２７のＣＡＭ  ＰＯＷＥＲスイッチを押し表示項目設定変更？の判定を行いｙｅｓなら２８の設定情報を光受信レベルＬＥＤに表示して２９のＣＡＬＬスイッチを押しながらＣＡＭ  ＰＯＷＥＲを同時に押しシステム設定表示終了？の判定を行いｎｏならそのまま２９の判定を行う。２９の判定でｙｅｓなら３６の受光レベル−１３ｄＢｍ？に行く。ｎｏなら３０のＣＡＬＬスイッチを押し次項目表示の判定を行いｎｏなら２７に戻る。３０の判定でｙｅｓなら３１の次の設定表示パターンをカメラ側光受信レベルＬＥＤとＣＣＵ側光受信レベルＬＥＤに点滅表示を行う。３３のＣＡＭ  ＰＯＷＥＲスイッチを押し表示項目設定変更？の判定を行いｙｅｓなら３４の設定情報を光受信レベルＬＥＤに表示して２７に戻り、ｎｏならそのまま２７に戻る。
【００１８】
３６の受光レベル−１３ｄＢｍ以上？の判定を行いｙｅｓなら３７の緑１のＬＥＤ点灯し、その他は消灯で４４に行く。３６の判定を行いｎｏなら３８の受光レベル−１３〜−１６ｄＢｍ？の判定を行いｙｅｓなら３９の緑２のＬＥＤ点灯し、その他は消灯で４４に行く。３８の判定を行いｎｏなら４０の受光レベル−１６〜−２０ｄＢｍ？の判定を行いｙｅｓなら，４１の黄ＬＥＤ点灯し、その他は消灯で４４に行く。４０の判定を行いｎｏなら４２の受光レベル−２０ｄＢｍ以下？の判定を行いｙｅｓなら４３の赤ＬＥＤ点灯し、その他は消灯で４４に行く。４２の判定を行いｎｏならそのまま４４の電源ＯＦＦの判定を行いｎｏなら２３に戻る。４２の判定を行いｙｅｓなら４４の電源ＯＦＦの判定を行いｙｅｓなら４５のＬＥＤの消灯後４６のＥＮＤに行く。
【００１９】
上説明したような本発明によれば、カメラコントロールユニットの近くにモニタ及びリモートコントロールが無い環境でも、システムの設定状態を確認・変更が可能となる。
また、カメラコントロールユニットに標準装備されているＬＥＤやスイッチを使用し、ＣＰＵのＲＯＭを書き換えるだけで対応可能なので、既に顧客へ納入しているカメラコントロールユニットへの変更も容易である。
【符号の説明】
【００２０】
１０１：カメラ（カメラヘッド、撮像部）、
１０２：光複合ケーブル（光ケーブル）、
１０３：カメラコントロールユニット（ＣＣＵ：制御部）、
１０４：確認映像モニタ（モニタ）、１０５：リモートコントロールユニット、
１０６：カメラコントロールユニット前面パネル、
１０７：カメラ側光受信レベル用ＬＥＤ、
１０８：カメラコントロールユニット側光受信レベル用ＬＥＤ、
１０９：ＣＡＭ  ＰＯＷＥＲスイッチ、１１０：ＣＡＬＬスイッチ 
【図１】
2011101182.tif 000003
【図２】
2011101182.tif 000004
【図３】
2011101182.tif 000005
【図４】
2011101182.tif 000006
【図５】
2011101182.tif 000007